(57)【特許請求の範囲】
【請求項１】
人体との接触面側に設けられるトップシートと、
人体との接触面と反対側に設けられるバックシートと、
前記トップシートと前記バックシートとの間に介装される吸収体と、
前記吸収体の長手方向に沿って当該吸収体の両側部に配されるギャザーシートと、
を備える使い捨て水着において、
前記バックシートは、親水性不織布からなり、
前記ギャザーシートは、水溶性フィルムを親水性不織布により狭持して形成され、
前記吸収体と前記バックシートとの間には、水溶性フィルムを備えることを特徴とする使い捨て水着。
【請求項２】
前記水溶性フィルムは、ポリビニルアルコール、澱粉、又はゼラチンからなることを特徴とする請求項１に記載の使い捨て水着。
【発明の詳細な説明】
【技術分野】
【０００１】
本発明は、使い捨て水着に関する。
【背景技術】
【０００２】
近年、乳幼児のプール等での使用を前提とし、陸上（プールサイド）で尿や便を保持し、水中で便や便の粒子が水中に拡散するのを防止する機能を備えた使い捨て水着（スイミングパンツとも呼ばれている）が市販されている（例えば特許文献１〜５参照）。
このような使い捨て水着は、使用面側のトップシートと、背面側のバックシートと、これらの間に介在され、トップシートを透過した排泄物を受け入れ保持する吸収体を基本要素とし、これらの基本要素に対して、装着感や外見等を向上させるべく所定の要素が適宜付加されて構成される。
【先行技術文献】
【特許文献】
【０００３】
【特許文献１】特開２００９−１７９９１１号公報
【特許文献２】特開２００９−１７８３８２号公報
【特許文献３】特開２００７−１７５２４７号公報
【特許文献４】特開２００５−２９６３７２号公報
【特許文献５】特表平１０−５０３６８６号公報
【発明の概要】
【発明が解決しようとする課題】
【０００４】
しかしながら、特許文献１〜５記載の使い捨て水着は、通常の紙おむつを基本の形としているため、内部に水を保ちやすい構造となっている。
従って、泳いだ場合や水に漬かった場合に内部に水が入るとこれが保持されたままとなり、水の重み或いは水中から出てきたときの抵抗などで、使い捨て水着全体が身体からズレたり、水着のウエスト周りや足周りに配置されているギャザーが瞬間的に肌から離れる場合がある。このため、水着の内部に保持された便などの固形物が外に出てしまうおそれがあった。
【０００５】
本発明の課題は、泳いだ場合や水に漬かった場合の水抜けがよく、内部に保持された固形物が外に出るのを防ぐことのできる使い捨て水着を提供することである。
【課題を解決するための手段】
【０００６】
上記課題を解決するために、請求項１に記載の発明は、
人体との接触面側に設けられるトップシートと、
人体との接触面と反対側に設けられるバックシートと、
前記トップシートと前記バックシートとの間に介装される吸収体と、
前記吸収体の長手方向に沿って当該吸収体の両側部に配されるギャザーシートと、
を備える使い捨て水着において、
前記バックシートは、親水性不織布からなり、
前記ギャザーシートは、水溶性フィルムを親水性不織布により狭持して形成され、
前記吸収体と前記バックシートとの間には、水溶性フィルムを備えることを特徴とする。
【０００８】
また、請求項２に記載の発明は、請求項１に記載の使い捨て水着において、
前記水溶性フィルムは、ポリビニルアルコール、澱粉、又はゼラチンからなることを特徴とする。
【発明の効果】
【０００９】
本発明によれば、バックシート及びギャザーシートは親水性不織布を備えて形成され、吸収体とバックシートとの間には水溶性フィルムを備える構成となっている。
このため、陸上では排泄物を好適に保持できる一方で、水に漬かった場合には水抜けが良く、水の重み或いは水中から出てきたときの抵抗などで、使い捨て水着全体が人体からズレたり、水着の脚周り等が瞬間的に肌から離れることがない。
従って、内部に保持された固形物が外に出るのを防ぐことができる。
【図面の簡単な説明】
【００１０】
【図１】第１実施形態の使い捨て水着を示す展開平面図である。
【図２】図１の使い捨て水着の製品状態外観図である。
【図３】図１のIII-III線における断面図である。
【図４】第２実施形態の使い捨て水着の断面図である。
【発明を実施するための形態】
【００１１】
以下、本発明の実施の形態を、図面を用いて詳細に説明する。ただし、発明の範囲は、図示例に限定されない。
なお、本発明の使い捨て水着は、例えば、乳幼児等がプールなどに入る際に使用され、排泄物を吸収保持する機能を有する使い捨て水着である。
【００１２】
（第１実施形態）
使い捨て水着１は、図１〜３に示すように、トップシート１０と、吸収体２０と、水溶性フィルム３０と、左右一対のギャザーシート４０，４０と、バックシート５０と、等を備えて構成されている。
使い捨て水着１は、バックシート５０の一方の端部が人体の腹側に位置する腹側部Ｆを形成し、他方の端部が人体の背側に位置する背側部Ｂを形成する。
そして、バックシート５０の腹側部Ｆと背側部Ｂとが、その両側端の接合端部（５１、５２）において接合されることにより腰周り開口部Ｗ、左右一対の脚周り開口部Ｌが形成されるとともに、左右一対の脚周り開口部Ｌの間に股下部Ｍが形成されている。
【００１３】
（トップシート）
トップシート１０は、着用者の身体と接する接触面に配され、吸収体２０の表面側（肌当接面側）を覆うシート材であり、透液性を有する不織布などから形成される。
トップシート１０を形成する不織布の素材としてとしては、天然繊維、合成繊維のいずれを用いても良い。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
【００１４】
（吸収体）
吸収体２０は、図３に示すように、トップシート１０と水溶性フィルム３０との間に介在し、陸上（例えばプールサイドなど）において排泄物の水様成分などを吸収保持するものである。
この吸収体２０は、バックシート５０の腹側部Ｆから背側部Ｂに亘り、当該吸収体２０よりも幅方向外側に延出するように形成される股下部Ｍに備えられている。
また、吸収体２０の幅方向の両側部には、長手方向に延在する左右一対のギャザーシート４０，４０が配されている。
【００１５】
吸収体２０は、例えば、パルプ、紙、綿、ナイロン繊維等の吸収性素材が一種類又は複数種類組み合わさることで形成された吸収体コアＳ１が、透液性のクレープ紙、不織布、孔開きシート等のシート材Ｓ２により覆われて構成されている。
なお、吸収体コアＳ１を構成する素材は、上記のものに限定されず、適宜変更可能である。例えば、吸収体コアＳ１に、ＳＡＰ（Super Absorbent Polymer）等の高吸水性樹脂を含有させることとしても良い。なお、使い捨て水着１は水中で使用するため、内部に侵入した水も吸収体２０により吸収される。このため、吸収体コアＳ１に高吸水性樹脂を含有させる場合には、その含有量は通常のおむつと比較して少量又は全く含まないとすることが好ましい。
このような吸収体２０は、例えば、平面視略砂時計形状を有するように成形されており、その幅寸法は着用者の身体に当たる際にゴワ付き感を与えないサイズとなっている。
【００１６】
（水溶性フィルム）
水溶性フィルム３０は、吸収体２０の裏面側（非肌当接面側）を覆うように備えられた、水溶性を有するシート材である。
この水溶性フィルム３０としては、例えば、ポリビニルアルコール、澱粉、ゼラチンなどの素材が好適に用いられる。
なお、ゼラチンを使用する場合には、例えば、分子量１００，０００〜１０，０００，０００のものを使用するのが好ましく、分子量５００，０００〜３，０００，０００のものを使用するのがより好ましい。
かかる水溶性フィルム３０を有することで、使い捨て水着１は、陸上では固形状或いは水溶成分を含んだ排泄物を好適に保持できることとなる。
また、この水溶性フィルム３０は、水中においては溶解するため、水中において使い捨て水着１の内部に侵入した水分が、使い捨て水着１の外部に流れ出るのを妨げることがないようになっている。
【００１７】
（ギャザーシート）
ギャザーシート４０，４０は、親水性のギャザー不織布４１を二つ折りにして水溶性フィルム４２を狭持しつつ、ホットメルトや、ヒートシール、超音波シール等により固着させることにより形成されている。
二つ折りされたギャザー不織布４１の基端部は内側に折り曲げられ、その折り曲げられた部位が、水溶性フィルム３０及びバックシート５０（上層不織布５０ａ）に挟みこまれて固着されている。
また、ギャザー不織布４１の先端部は、吸収体２０の長手方向中間部においては、ギャザーを形成する自由端部（起立端部）となっており、長手方向前後端部においては、内側に折り畳まれてホットメルト接着剤等により接着された固定部４５となっている。固定部４５は、バックシート５０の腹側部Ｆ及び背側部Ｂに設けられた胴周りシート５６，５６と上層不織布５０ａ，５０ａとにより狭持されて固着されている。
また、ギャザー不織布４１の自由端部は、トップシート１０の形状に沿って、トップシート１０の側方から上方を覆うような屈曲した形状を成している。
【００１８】
また、ギャザー不織布４１の起立端部の先端側には、複数本（ここでは４本）の糸状弾性伸縮部材４３・・・が配設されている。また、ギャザー不織布４１の起立端部から基端部に至るまでの中間部に、複数本（ここでは２本）の糸状弾性伸縮部材４４・・・が配設されている。糸状弾性伸縮部材４３、４４は、弾性伸縮力によりギャザー不織布４１を起立させてギャザーを形成するためのものである。
糸状弾性伸縮部材４３、４４としては、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００１９】
また、ギャザー不織布４１は、親水性の不織布が好適に使用され、具体的な素材としては、例えば、綿、セルロース（木材パルプ）、羊毛、絹等の天然繊維や、ポリプロピレン（ＰＰ）、ポリエチレン（ＰＥ）、ナイロン、ポリエステル（ＰＥＴ）、アクリル等の合成繊維などが挙げられる。またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
ギャザーシート４０は、このような親水性のギャザー不織布４１により形成されるため、水中に入った場合に使い捨て水着１の内部に侵入した水分が外部に流れ出るのを妨げることがないようになっている。即ち、ギャザー不織布４１は親水性であるため、水分の流れを遮断することがなく、使い捨て水着１の水抜けを良好にすることができるようになっている。
【００２０】
また、水溶性フィルム４２は、例えば、ポリビニルアルコール、澱粉、ゼラチンなどの素材が好適に用いられる。
なお、ゼラチンを使用する場合には、例えば、分子量１００，０００〜１０，０００，０００のものを使用するのが好ましく、分子量５００，０００〜３，０００，０００のものを使用するのがより好ましい。
かかる水溶性フィルム４２を有することで、使い捨て水着１は、陸上では固形状或いは水溶成分を含んだ排泄物をギャザーシート４０，４０の内部に好適に保持できることとなる。
また、この水溶性フィルム４２は、水中においては溶解するため、使い捨て水着１の内部に侵入した水分が外部に流れ出るのを妨げることがないようになっている。
【００２１】
（バックシート）
バックシート５０は、使い捨て水着１を装着した際に人体に接する面と反対側の面に設けられ、水中において内部に水が溜まるのを防ぎ、且つ排泄物（主に固形物）が外部へ漏れ出すのを防止する機能を備えている。
バックシート５０は、上層不織布５０ａと下層不織布５０ｂとの２枚の不織布を貼着して構成され、上層不織布５０ａ及び下層不織布５０ｂの間には、後述する糸状の弾性部材が配設されて、伸縮性が付与されるようになっている。
また、バックシート５０の内側（肌当接面側）には、腹側部Ｆ及び背側部Ｂにおいて、上層不織布５０ａの上面に胴周りシート５６，５６が備えられ、良好な着用感を実現するようになっている。なお、上層不織布５０ａと胴周りシート５６とは、ギャザー不織布４１の固定部４５を挟み込むように固着されている。
【００２２】
バックシート５０の上層不織布５０ａと下層不織布５０ｂとを形成する素材としては、親水性の不織布が好適に用いられる。また、胴周りシート５６，５６も、バックシート５０と同様の素材が好適に用いられる。
具体的な素材としては、例えば、綿、セルロース（木材パルプ）、羊毛、絹等の天然繊維や、ポリプロピレン（ＰＰ）、ポリエチレン（ＰＥ）、ナイロン、ポリエステル（ＰＥＴ）、アクリル等の合成繊維などが挙げられる。またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
バックシート５０は、このような親水性の不織布により形成されるため、水中に入った場合に使い捨て水着１の内部に侵入した水分が外部に流れ出るのを妨げることがないようになっている。即ち、バックシート５０は親水性であるため、水分は、バックシート５０を透過して外部に流れ出ることができ、使い捨て水着１の水抜けを良好にすることができるようになっている。
【００２３】
このバックシート５０は、その中間両側部が、それぞれ脚周り開口部Ｌを設けるための凹状にカットされ、着用者の股下周囲を覆う股下部Ｍと、股下部Ｍの前端側に位置し着用者の腹部を覆う腹側部Ｆと、股下部Ｍの後端側に位置し着用者の背部を覆う背側部Ｂと、を有しており、その平面形状は全体として擬似砂時計形状を成している。
そして、バックシート５０の股下部Ｍを吸収体２０とともに折り曲げるようにして、バックシート５０の腹側部Ｆの接合端部５１と、背側部Ｂの接合端部５２とを、左右同士で熱溶着またはホットメルト接着剤、超音波などによって接合することにより、図２に示す、使い捨て水着１に組み立てられる。
【００２４】
また、バックシート５０は、腹側部Ｆ及び背側部Ｂのそれぞれにおいて、複数のウエスト周り弾性部材５３・・・及び腰周り弾性部材５４・・・が、ウエスト周り及び腰周りに沿う方向に延在するよう配設されている。ウエスト周り弾性部材５３・・・及び腰周り弾性部材５４・・・は、身体の腹周り及び腰周りを締め付けるように伸縮力を付与し、使い捨て水着１を身体に装着するためのものである。
また、股下部Ｍにおいては、脚周り開口部Ｌの縁部の凹形状に沿って複数の脚周り弾性部材５５・・・が配設されている。脚周り弾性部材５５・・・は、バックシート５０の脚周り部分を身体に密着させるためのものである。
【００２５】
これらの糸状の弾性部材（ウエスト周り弾性部材５３、腰周り弾性部材５４、脚周り弾性部材５５）としては、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２６】
以上のように、本実施形態の使い捨て水着１によれば、バックシート５０は、親水性不織布からなり、ギャザーシート４０は、水溶性フィルム４２を親水性のギャザー不織布４１により狭持して形成され、吸収体２０とバックシート５０との間には、水溶性フィルム３０を備える構成となっている。
このため、陸上では排泄物を好適に保持できる一方で、水に漬かった場合には水抜けが良く、水の重み或いは水中から出てきたときの抵抗などで、使い捨て水着１全体が人体からズレたり、水着の脚周り等が瞬間的に肌から離れることがない。
従って、使い捨て水着１が人体から離れることがないため、内部に保持された固形物が外に出るのを防ぐことができる。
【００２７】
また、本実施形態の使い捨て水着１によれば、水溶性フィルム３０、４２は、ポリビニルアルコール、澱粉、又はゼラチンからなる。
このため、この水溶性フィルム３０、４２は水中においては溶解するので、陸上では固形状或いは水溶成分を含んだ排泄物を好適に保持できる一方で、水中においては内部に侵入した水分が外部に流れ出るのを妨げることがなく、水抜けの良い使い捨て水着１とすることができる。
【００２８】
（第２実施形態）
次に、本発明の第２実施形態について、第１実施形態と異なる点を中心に説明する。
なお、第１実施形態と同様の構成については、同一の符号を付してその説明を省略する。
本実施形態の使い捨て水着２では、ギャザーシート４０Ａ，４０Ａは、親水性のギャザー不織布４１を二つ折りにして耐水性フィルム４２Ａを狭持しつつ固着されている。
耐水性フィルム４２Ａとしては、例えば、ポリエチレンやポリプロピレン等の遮水性を有するプラスチックシートなどが好適に用いられる。
【００２９】
このような構成であっても、ギャザーシート４０Ａは、親水性のギャザー不織布４１により形成されるため、水中に入った場合に使い捨て水着１の内部に侵入した水分が外部に流れ出るのを妨げることがないようになっている。
そして、ギャザーシート４０Ａは、耐水性フィルム４２Ａを有することで、水中において、ギャザーシート４０Ａ，４０Ａの内部に固形状の排泄物を保持しやすくする機能が付加されている。
【００３０】
以上のように、本実施形態の使い捨て水着２は、第１実施形態と同様の効果が得られるのは勿論のこと、ギャザーシート４０Ａ，４０Ａが耐水性フィルム４２Ａを備えた構成であるため、固形物の保持効果をより向上させることができる。
【００３１】
なお、本発明の範囲は上記実施形態に限定されるものではなく、適宜変更可能である。
例えば、弾性部材の配設の仕方や、配設する数に制限はない。
また、バックシート５０の外面に、種々の模様や文字等の図柄を設けることとしても良い。
【符号の説明】
【００３２】
１、２  使い捨て水着
１０  トップシート
２０  吸収体
Ｓ１  吸収体コア
Ｓ２  シート材
３０  水溶性フィルム
４０，４０  ギャザーシート
４１  ギャザー不織布
４２  水溶性フィルム
４２Ａ  耐水性フィルム
４３  糸状弾性伸縮部材
４４  糸状弾性伸縮部材
５０  バックシート
５０ａ  上層不織布
５０ｂ  下層不織布
【図１】
0005567881.tif 000002
【図２】
0005567881.tif 000003
【図３】
0005567881.tif 000004
【図４】
0005567881.tif 000005